(57)【特許請求の範囲】
【請求項１】
アルミ電線に装着される回転中心軸を有するリング状物であって、少なくともアルミ電線との接触部分がアルミニウムよりも腐食しやすい金属で構成されており、外周面に回転中心軸に対して非対称のパターンを有することを特徴とする腐食検知リング。
【請求項２】
回転中心軸に対して偏心荷重を有することを特徴とする請求項１記載の腐食検知リング。
【発明の詳細な説明】
【０００１】
【発明の属する技術分野】
本発明は、少なくとも外側がアルミニウムを主体とする材質からなるアルミ電線（例えば、アルミ線、アルミ合金線、アルミ覆鋼線、鋼心アルミ撚線）に装着され、張架されたアルミ電線の腐食を予知ないし検知する腐食検知リングに関する。
【０００２】
【従来の技術】
従来、張架されたアルミ電線の腐食は、宙乗りによる目視点検、ロボットによる渦電流探傷やビデオ撮影などにより点検検知していた。
【０００３】
【発明が解決しようとする課題】
しかしながら、上述の方法では、アルミ電線の腐食を簡便にかつ頻度高く点検検知することが困難であり、例えばアルミ電線が廃棄物焼却場の近くに架設されるなどして、塩素系などの腐食性雰囲気により急激に腐食され、場合によっては、断線事故が起きる恐れがあった。
【０００４】
【課題を解決するための手段】
本発明は上記問題点を解決すべくなされたもので、請求項１記載の発明は、アルミ電線に装着される回転中心軸を有するリング状物であって、少なくともアルミ電線との接触部分がアルミニウムよりも腐食しやすい金属で構成されており、外周面に回転中心軸に対して非対称のパターンを有することを特徴とする腐食検知リングである。
【０００５】
また、請求項２記載の発明は、請求項１記載の発明において、回転中心軸に対して偏心荷重を有することを特徴とするものである。
【０００６】
アルミ電線に請求項１記載の腐食検知リングを装着すると、腐食検知リングのアルミ電線に接触する部分はアルミニウムよりも腐食しやすい（アルミニウムよりもイオン化傾向が大きい）金属で構成されているため、腐食検知リングのアルミ電線との接触部分はアルミ電線よりも先に腐食し、アルミ電線が腐食するのを抑制し、防食する。
【０００７】
腐食した腐食検知リングは、アルミ電線の回りに回転し易くなるので、張架されたアルミ電線の振動や揺れにより回転し、アルミ電線に対する装着状態が変化する。そこで、請求項１に記載のように、外周面に回転中心軸に対して非対称のパターンを形成すると、そのパターンのアルミ電線に対する相対的な位置の変化から、腐食検知リングの回転による装着状態の変化を、従って、腐食を検知し、アルミ電線の腐食を予知ないし検知して、断線事故を未然に防止することができる。
【０００８】
さらに、請求項２に記載のように、回転中心軸に対して偏心荷重を設けると、腐食検知リングは一層回転し易くなり、腐食検知リングの腐食を信頼性よく検知することができる
【０００９】
【発明の実施の形態】
以下、図面に基づいて本発明の実施の形態を詳細に説明する。
図１（ａ）、（ｂ）はそれぞれ、本発明にかかる腐食検知リングの一実施形態をアルミ電線に装着した状態の側面図およびそのＡ−Ａ断面図である。
図１において、１はアルミ合金撚線からなるアルミ電線、２は腐食検知リングである。
腐食検知リング２は、内層リング３と外層リング４からなる２層構造をしている。アルミ電線１に接する内層リング３はアルミニウムよりも腐食しやすい金属からなる。このような金属としては、アルミニウムよりもイオン化傾向が大きいＭｇ、Ｚｎなどの金属単体、およびＡｌ−Ｍｇ、Ａｌ−Ｚｎ、Ａｌ−Ｓｎなどの合金を挙げることができる。また、外層リング４はプラスチックからなり、その外周面には回転中心軸に対して回転非対称のパターン４ａが塗料で形成されている。
【００１０】
本実施形態の腐食検知リング２は、アルミ電線１に装着された状態で、アルミ電線１に接する内層リング３がアルミ電線１よりも早く腐食する。内層リング３が腐食すると、腐食検知リング２はアルミ電線１の回りに回転し易くなるため、アルミ電線１の振動や揺れにより回転し、パターン４ａのアルミ電線１に対する相対的な位置が変わる。
従って、パターン４ａの位置を目視点検することにより、内層リング３の腐食を検知し、アルミ電線１の腐食を予知ないし検知して、断線事故を防止することができる。
【００１１】
図２は、腐食検知リング２の他の実施形態をアルミ電線に装着した状態の断面図である。本実施形態の腐食検知リング２は、外層リング４の内側に、アルミニウムよりも腐食しやすい金属からなる台形状の接触部材５を接合したものである。この接触部材５の形状は台形に限定されず、図３に示すように、線状ないし球状であってもよい。さらに、腐食検知リング２は全体をアルミニウムよりも腐食しやすい金属で構成してもよい。
【００１２】
図４（ａ）、（ｂ）はそれぞれ、腐食検知リングのさらなる他の実施形態をアルミ電線に装着した状態の側面図およびそのＡ−Ａ断面図である。本実施形態では、外層リング４は、外周上に突状部４ｂを有し、腐食検知リング２に偏心荷重を与えている。また、突状部４ｂの表面は塗料が塗られて、回転中心軸に対して回転非対称のパターン４ａが形成されている。
本実施形態の腐食検知リング２は、内層リング３が腐食すると、偏心荷重により一層容易に回転し、腐食検知リングの腐食を信頼性よく検知することができる。
【００１３】
なお、腐食検知リング２をアルミ電線１に装着する際には、図５（ａ）に示すように、腐食検知リング２と通常のプラスチック製の難着雪リング６とを交互に装着するとよい。この場合、アルミ電線１が傾斜して張架され、腐食検知リング２が腐食してアルミ電線１上を回転して移動しても、図５（ｂ）に示すように、隣りに位置する難着雪リング６に当たって止まるため、アルミ電線１の腐食箇所の位置を一定の範囲内で検知することができる。
【００１４】
【発明の効果】
以上説明したように、請求項１記載の発明によれば、腐食検知リングの腐食を検知して、アルミ電線の腐食を予知ないし検知し、断線事故を防止することができ、さらに、請求項２記載の発明によれば、腐食検知リングの腐食を信頼性よく検知することができるという優れた効果がある。
【図面の簡単な説明】
【図１】（ａ）、（ｂ）はそれぞれ、本発明にかかる腐食検知リングの一実施形態をアルミ電線に装着した状態の側面図およびそのＡ−Ａ断面図である。
【図２】腐食検知リングの他の実施形態をアルミ電線に装着した状態の断面図である。
【図３】腐食検知リングの他の実施形態をアルミ電線に装着した状態の断面図である。
【図４】（ａ）、（ｂ）はそれぞれ、本発明にかかる腐食検知リングのさらなる他の実施形態をアルミ電線に装着した状態の側面図およびそのＡ−Ａ断面図である。
【図５】（ａ）、（ｂ）はそれぞれ、図４に示した腐食検知リングをアルミ電線に装着した状態の側面図、および腐食検知リングが腐食により移動した状態の側面図である。
【符号の説明】
１        アルミ電線
２        腐食検知リング
３        内層リング
４        外層リング
４ａ      パターン
４ｂ      突状部
５        接触部材
６        難着雪リング
【図１】
0003923222.tif 000002
【図２】
0003923222.tif 000003
【図３】
0003923222.tif 000004
【図４】
0003923222.tif 000005
【図５】
0003923222.tif 000006